(57)【要約】【課題】水槽と一緒にしてコンパクトにして搬送や保管ができ、取り扱いの簡易な鑑賞用水槽の照明器具を提供する。【解決手段】鑑賞用水槽２内を照らす光源５１〜５４が内蔵された横長の器具本体１０を該長さ方向の中央で分割するとともに、２つの器具半体１１，１２のそれぞれに光源５１，５２、５３，５４を配備し、２つの器具半体１１，１２の合わせ面１１３，１２２側同士を蝶番２０を介して枢支・連結して両器具半体１１，１２を直線状の展開状態と二つ折り状態とに転換可能に構成し、前記器具半体１１，１２の光源５１〜５４に対して１つの電源コード５を介して給電する。【選択図】      図４
2006180807.tif 000002
【特許請求の範囲】
【請求項１】
鑑賞用水槽内を照らす光源が内蔵された横長の器具本体を該長さ方向の略中央で分割するとともに、２つの器具半体のそれぞれに光源を配備し、
前記２つの器具半体の合わせ面側同志を蝶番を介して枢支・連結して両器具半体を直線状の展開状態と２つ折り状態とに転換可能に構成し、
前記両器具半体の各光源に対する給電を、１つの電源コードから前記器具半体の各合わせ面を貫通する給電系統により行わせる構成であることを特徴とする鑑賞用水槽の照明器具。
【請求項２】
前記両器具半体うちの一方の器具半体の合わせ面周縁に環状の嵌合凸部を形成し、他方の器具半体の合わせ面周縁に、展開状態で前記嵌合凸部に嵌合される環状の嵌合凹部を形成した請求項１に記載の鑑賞用水槽の照明器具。
【請求項３】
前記両器具半体における蝶番から離間した部位に、展開状態で両器具半体における嵌合凸部と嵌合凹部同士を固定するためのねじ止め部を設けてある請求項１または２に記載の鑑賞用水槽の照明器具。
【請求項４】
前記両器具半体のそれぞれの長さ方向の両端部位に、インバータ制御される光源としての蛍光灯が配備されている請求項１〜３のいずれか１項に記載の鑑賞用水槽の照明器具。
【発明の詳細な説明】
【技術分野】
【０００１】
この発明は、熱帯魚や金魚などの鑑賞魚を飼育するのに使用される鑑賞用水槽の照明器具に関する。
【背景技術】
【０００２】
近年、特許文献１に示すような鑑賞用水槽では、構造的に大型化が可能となり、例えば正面から見た幅が９０〜１２０センチメートルもの大型のものが普及しつつあり、これに伴って水槽上端に設置される照明器具も横長の長寸で大型化してきている。
【特許文献１】実公平２−３６３８２号（第１−４図）
【発明の開示】
【発明が解決しようとする課題】
【０００３】
ところで、この種照明器具は、水槽とセットにして販売されることが多いが、水槽の大型化によって照明器具が長大になると、梱包したりするために、この照明器具を水槽内に入れようとしても斜めになってはみ出してしまう。つまり、照明器具を水槽内に納めようとしても、なかなかセットにして纏めるのは難しい。
【０００４】
従って、水槽から照明器具を出した状態でセットしなければならず、運送のための梱包状態が比較的大きくな荷物となってしまう。
【０００５】
また、照明器具が長大化してくると、店舗で展示したり、倉庫などで保管したりする場合にも、どうしても大きな設置スペースが必要となるばかりか、展示作業などにも手間がかかってしまう。
【０００６】
また各家庭で観賞用水槽を設置する際に、照明器具を使用しないような場合には、照明器具が大きいと収納場所に手間取ってしまう恐れがある。
【０００７】
この発明は、上記実情に鑑みてなされたものであり、長大化しても水槽とセットでコンパクトな状態で搬送や保管ができ、展示などでも扱いやすい鑑賞用水槽の照明器具を提供することを課題とする。
【課題を解決するための手段】
【０００８】
上記課題は以下の手段によって解決される。
【０００９】
［１］  鑑賞用水槽内を照らす光源が内蔵された横長の器具本体を該長さ方向の略中央で分割するとともに、２つの器具半体のそれぞれに光源を配備し、前記２つの器具半体の合わせ面側同士を蝶番を介して枢支・連結して両器具半体を直線状の展開状態と２つ折り状態とに転換可能に構成し、前記両器具半体の各光源に対する給電を、１つの電源コードから前記器具半体の各合わせ面を貫通する給電系統により行わせる構成であることを特徴とする鑑賞用水槽の照明器具。
【００１０】
［２］  前記両器具半体うちの一方の器具半体の合わせ面周縁に環状の嵌合凸部を形成し、他方の器具半体の合わせ面周縁に、展開状態で前記嵌合凸部に嵌合される環状の嵌合凹部を形成した前項１に記載の鑑賞用水槽の照明器具。
【００１１】
［３］  前記両器具半体における蝶番から離間した部位に、展開状態で両器具半体における嵌合凸部と嵌合凹部同士を固定するためのねじ止め部を設けてある前項１または２に記載の鑑賞用水槽の照明器具。
【００１２】
［４］  前記両器具半体のそれぞれの長さ方向の両端部位に、インバータ制御される光源としての蛍光灯が配備されている前項１〜３のいずれか１項に記載の鑑賞用水槽の照明器具。
【発明の効果】
【００１３】
前項（１）に記載の発明によれば、照明器具を長さ方向の略中央で分割するとともに、２つの器具半体を蝶番で連結したから、長大化したものであっても、保管時や運送時などに２つの器具半体を２つ折り状態にすれば、全体が短くなってコンパクトにでき、保管のスペースが小さくなり、梱包も小さくなって運送などに有利となる。
【００１４】
また、展示したり、使用する場合には２つの器具半体を直線状に展開すれば、そのまま水槽上に簡単に載置でき、扱いやすい。
【００１５】
また、１つ電源コードから器具半体の各合わせ面を貫通する電源供給系統で全部の光源に給電できるので、各器具半体毎に電源コードを設けた場合に比して、電源に接続する手間が簡単で、使い勝手が良くなる。
【００１６】
前項（２）に記載の発明によれば、２つの器具半体を直線状に展開した際には、前記環状の嵌合凸部と環状の嵌合凹部が嵌合するので、展開状態が安定的に保持される。
【００１７】
前項（３）に記載の発明によれば、２つの器具半体を直線状に展開した際に、蝶番から離間した位置のねじ止め部で前記嵌合凸部と嵌合凹部同士が固定されるから、展開状態が一層確実に保持される。
【００１８】
前項（４）に記載の発明によれば、２つの器具半体の各光源が蛍光灯でり、有効照光域が広くなり、しかもインバータ制御されるから、照光域が大きくても、低電力消費化に対応可能となる。
【発明を実施するための最良の形態】
【００１９】
以下、この発明の実施形態を図面に基づいて説明する。
【００２０】
図１は、この発明の実施形態にかかる鑑賞用水槽の照明器具を展開状態で示す外観図、図２は、同じく照明器具を２つ折り状態で示す外観図、図３は、同じく照明器具をガラス板を省いて示す底面図である。
【００２１】
図１〜図３において、この鑑賞用水槽の照明器具１は、水槽２における左右両開口端部２ａ，２ｂに跨がって設置されるようになっている。３は、水槽２の開口を被うガラスなどの透明板である。
【００２２】
この照明器具１は、照明器具本体１０と、枢支連結部２０と、ねじ止め部３０とを備えている。
【００２３】
前記照明器具本体１０は、その長さ方向（左右方向）の略中央で分割されて、２つの器具半体１１，１２から構成されており、これら両器具半体１１，１２は、互いに枢支・連結部２０により連結されて、図１に示す直線状の展開状態と、図２に示す２つ折り状態とに転換可能になっている。
【００２４】
前記器具半体１１，１２は、それぞれ下壁面および左右両側面が開放された箱形のケーシング１１Ａ，１２Ａを有し、これらケーシング１１Ａ，１２Ａの各後面は、略垂直面で構成されており、図２に示すように２つ折りにした際に、２つの器具本体１１，１２が密着して配置できるように構成されている。
【００２５】
さらに、ケーシング１１Ａ，１２Ａの各下側開放面は、図５および図６に示すように、ガラス板などからなる透明板１１１，１２１によりそれぞれ閉塞されている。これら透明板１１１，１２１は、ケーシング１１Ａ，１２Ａの長手方向へ沿って形成された前後一対の溝条１０１、１０２に嵌挿されている。
【００２６】
なお、前記ケーシング１１Ａ，１２Ａは、合成樹脂により成形されているが、その構成材は、合成樹脂に限らない。
【００２７】
前記一方（図１の左側）のケーシング１１Ａの左側開放面は、縁枠部１１２ａが一体形成された合成樹脂製の側板部材１１２とその内側の仕切板（図示せず）により閉塞されている。
【００２８】
前記一方のケーシング１１Ａの右側開放面は、他方（図１の右側）のケーシング１２Ａとの合わせ面として、図４に示すような縁枠部１１３ａが一体形成された側板部材１１３により閉塞されており、この側板部材１１３は、複数のねじ１１４などによりケーシング１１Ａに対して固定されている。
【００２９】
なお、この側板部材１１３の下部は、ねじ１１５により前記ケーシング１１Ａに固定されるＬ形部材１１６により、前記固定状態が堅固に保持されている。
【００３０】
他方のケーシング１２Ａの左側開放面は、ケーシング１１Ａとの合わせ面として、図４に示すような縁枠部１２２ａが一体形成された側板部材１２２により閉塞されており、この側板部材１２２は、複数のねじ１２３などによりケーシング１２Ａに対して固定されている。
【００３１】
また、前記ケーシング１２Ａの右側開放面は、縁枠部１２６ａが一体形成された側板部材１２６とその内側の仕切板（図示せず）により閉塞されている。
【００３２】
前記一方のケーシング１１Ａにおける側板部材１１３と他方のケーシング１２Ａにおける側板部材１２２とは、図４に示すように、後壁寄りに位置して設けられた枢支・連結部としての蝶番２０により、水平面内に沿って回動可能に連結されており、これにより、前記器具半体１１，１２が直線状の展開状態と２つ折り状態とを任意に選択して設定可能である。
【００３３】
前記蝶番２０は、具体的には、図４に示すように、前記一方のケーシング１１Ａの側板部材１１３の後壁側に位置して一体に形成された支軸部２０１と、他方のケーシング１２Ｂ側の側板部材１２２の後壁側に一体形成されて、前記支軸部２０１に嵌合される横断面Ｃ字形の無理嵌めヒンジ部２０２とから構成されている。
【００３４】
勿論、前記蝶番２０は、この例のものに限定されるものではなく、例えば別体に用意された蝶番部材を一方のケーシング１１Ａにおける側板部材１１３と他方のケーシング１２Ａにおける側板部材１２２との間に跨設してもよい。
【００３５】
一方のケーシング１１Ａにおける側板部材１１３の周縁には、図４に示すように、環状の嵌合凸部１１７が一体形成されており、他方のケーシング１２Ａにおける側板部材１２２の周縁には、展開状態で前記嵌合凸部１１７に嵌合される環状の嵌合凹部１２４が形成されている。
【００３６】
さらに、前記一方のケーシング１１Ａにおける側板部材１１３と他方のケーシング１２Ａにおける側板部材１２２とには、前記蝶番２０の形成位置から離間した前寄りに位置して、展開状態保持用のねじ止め部３０が配備されている。
【００３７】
このねじ止め部３０は、例えば一方のケーシング１１Ａにおける側板部材１１３の底壁に形成された雌ねじ部３０１と、他方のケーシング１２Ａにおける側板部材１２２の底壁に形成されたねじ挿通孔３０２と、ねじ挿通孔３０２を挿通して雌ねじ部３０１に螺入されるねじ３０３とからなる。
【００３８】
一方のケーシング１１Ａ内には、長手方向の両端部位に位置して光源用ソケット部４１，４２がそれぞれ中央向きの姿勢で設けられており、これらソケット部４１，４２には、光源の一例としてのＵ字形の蛍光灯５１，５２（図５および図６では省略）がそれぞれ装着されている。
【００３９】
また、他方のケーシング１２Ａ内にも、長手方向の両端部位に位置して光源用ソケット部４３，４４がそれぞれ中央向きの姿勢で設けられており、これらソケット部４３，４４には、光源の一例としてのＵ字形の蛍光灯５３，５４（図５および図６では省略）がそれぞれ装着されている。
【００４０】
なお、前記蛍光灯５１〜５４は、インバータ制御回路（図示せず）により点灯制御されるようになっている。
【００４１】
一方のケーシング１１Ａの内部には、蛍光灯５１，５２からの光を下方に向けて反射する屋根形反射板６１が配置されており、この反射板６１の背面と前記ケーシング１１Ａの内面との間には、配線用空間７１が形成されている。
【００４２】
また、他方のケーシング１２Ａの内部にも、図６に示すように、蛍光灯５３，５４からの光を下方に向けて反射する屋根形反射板６２が配置されており、この反射板６２の背面と前記ケーシング１２Ａの内面との間にも、配線用空間７２が形成されている。
【００４３】
前記一方のケーシング１１Ａにおける左側板部材１１２からは、商用交流電源に接続されるプラグ付き電源コード５が引き出されている。
【００４４】
前記蛍光灯５１〜５４に電力供給する給電は、前記電源コード５から１つの電力供給系統により行われる。具体的には、他方のケーシング１２Ａの配線用空間７２を通った給電系統としての給電線６を前記側板部材１２２に形成されたコード挿通孔１２２ｂから引き出し、一方のケーシング１１Ａにおける側板部材１１３に形成されたコード挿通孔１１３ｂから内部挿入させ、前記配線用空間７１を通過させてから前記プラグ付き電源コード５に電気的に接続してある。これにより、全部の蛍光灯５１〜５４を同時に点灯することができるようになっている。
【００４５】
なお、前記一方のケーシング１１Ａにおける側板部材１１２には、全部の蛍光灯５１〜５４に対してＯＮ／ＯＦＦ操作するために電源スイッチ（図２）５０が設けられている。
【００４６】
つぎに、上記構成の鑑賞用水槽の照明器具１の取り扱い手順を説明する。
【００４７】
前記照明器具本体１０は、その長さ方向（左右方向）の略中央で分割されて、２つの器具半体１１，１２から構成されるとともに、両器具半体１１，１２が互いに蝶番２０を介して図１に示す直線状の展開状態と、図２に示す２つ折り状態とに転換可能になっている。
【００４８】
従って、例えばメーカが店舗などに向けて照明器具１を水槽２とセットにして配送す際には、上記器具半体１１，１２を図２に示すように２つ折り状態にしておけば、照明器具１とをセットにしてコンパクトな梱包が可能となる。
【００４９】
具体的には、その２つ折りにした状態で、例えばクッション材などで包装し、両器具半体１１，１２を水槽２内に収容させれば、水槽２とセット状態がコンパクトになり、梱包しての運搬が容易になるとともに、倉庫などに保管する場合でも、保管スペースが小さくなる。
【００５０】
また、水槽２を店舗で展示したり、実際に使用する場合には、２つ折り状態の器具半体１１，１２を蝶番２０を支点にして回動し、図１に示すように、直線状に展開する。さらに、一方の器具半体１１のケーシング１１Ａと他方の器具半体１２のケーシング１２Ａとの結合部位におけるねじ３０３をねじ挿通孔３０２を挿通させてから雌ねじ部３０１に螺入させ、この状態で前記水槽２の上端に載置すればよい。
【００５１】
前記器具半体１１，１２を展開した状態では、図６に示すように、前記器具半体１１のケーシング１１Ａ側の環状嵌合凸部１１７と前記器具半体１２のケーシング１２Ａ側の環状の嵌合凹部１２４とが嵌合するから、両器具半体１１，１２の枢支部位が展開状態でへの字形に曲がったりするおそれがなくなり、安定状態で設置することができる。
【００５２】
さらに、この展開状態で前記ねじ３０３により前記ケーシング１１Ａとケーシング１２Ａとの結合部位を固定してあるから、前記展開状態が一層堅固に保持される。
【００５３】
前記２つの器具半体１１，１２の各蛍光灯５１〜５４に対する電力供給は、１つの電源コード５に接続された給電線６を介して行われる。この給電線６は、一方のケーシング１１Ａの合わせ面と他方のケーシング１２Ａの合わせ面を貫通している以外は、ケーシング１１Ａ，１２Ａ内の空間７１，７２を通っているから、前記器具半体１１，１２を直線状に展開して水槽２に設置し、前記電源コード５を電源に接続するだけで、蛍光灯５１〜５４に対する電力が一斉に供給され、各器具半体１１，１２毎に電源コードを接続する場合に比して手間がかからなく、扱いやすくなる。
【００５４】
図７は、この発明の他の実施形態を示すものであり、図４と同一もしくは相当部所には、同一符号を付してそれらの説明を省略する。
【００５５】
図７において、前記蝶番２０の変形例として、一方のケーシング１１Ａの側板部材１１３の上部に位置して、端部が雌ねじで構成されている軸受け部２０３を設け、他方のケーシング１２Ａの側板部材１２２の上部に位置して、前記軸受け部２０３に隣接する軸受け部２０４を設け、これら軸受け部２０３，２０４に、先端が雄ねじで構成された軸体２０５を前記一方の軸受け部２０４に挿通して他方の軸受け部２０３の雌ねじ部に螺入させることにより、前記一方の器具半体１１と他方の器具本体１２とを垂直面内に沿って回動して２つ折りにできるようにしたものである。
【００５６】
また、前記展開状態でのねじ止め部３０は、前記ケーシング１１Ａ，１２Ａの各側板部材１１３，１２２の前後方向中央部に位置して設けられている。
【００５７】
なお、他方のケーシング１２Ａの側板部材１２２は、該ケーシング１２Ａにねじ２２６で固定されるＬ形部材２２５によって補強されている。
【００５８】
この場合も前記実施形態と同様の効果を奏する。
【図面の簡単な説明】
【００５９】
【図１】この発明の実施形態にかかる鑑賞用水槽の照明器具を展開状態で示す外観図である。
【図２】同じく照明器具を２つ折り状態で示す外観図である。
【図３】同じく照明器具をガラスを省略して示す底面図である。
【図４】２つの器具半体同士の枢支結合部位周辺を示す斜視図である。
【図５】一方の分割半体を示す側面部材を外した状態で示す右側面図である。
【図６】照明器具の分割半体同士の枢支結合部位周辺を示す正面断面図である。
【図７】この発明の他の実施形態において、器具半体同士の枢支結合部位周辺を示す斜視図である。
【符号の説明】
【００６０】
１・・・・・・・照明器具
２・・・・・・・鑑賞用水槽
５・・・・・・・電源コード
６・・・・・・・給電系統（給電線）
１０・・・・・・照明器具本体
１１，１２・・・器具半体
２０・・・・・・蝶番
３０・・・・・・ねじ止め部
５１〜５４・・・光源（蛍光灯）
１１３・・・・・器具半体１１の合わせ面
１１７・・・・・環状の嵌合凸部
１２３・・・・・器具半体１２の合わせ面
１２４・・・・・環状の嵌合凹部
【図１】
2006180807.tif 000003
【図２】
2006180807.tif 000004
【図３】
2006180807.tif 000005
【図４】
2006180807.tif 000006
【図５】
2006180807.tif 000007
【図６】
2006180807.tif 000008
【図７】
2006180807.tif 000009